(57)【要約】【課題】就寝中の被験者の生体データを利用した身体状態把握の信頼性を高め、体温情報を含む正確な身体状態把握が行える就寝状態監視装置の提供。【解決手段】本発明の就寝状態監視装置は、被験者のベッドに設置したエアマットと、エアマットの内部圧力変化を検出する圧力検出手段と、圧力検出手段で検出したエアマットの内部圧力変化を基づき被験者の生体データを測定する手段と、被験者に装着された温度測定部を有するＩＣタグと、ＩＣタグの情報を読取る読取り部とを備え、生体データとＩＣタグの温度情報に基づき前記被験者の状態を監視することを特徴とする。【選択図】図２
2007135862.tif 000002
【特許請求の範囲】
【請求項１】
被検者のベッドに設置したエアマットと、前記エアマットに設けられた生体情報検出手段と、前記被検者に装着された温度測定部を有するＩＣタグと、前記ＩＣタグの情報を読取る読取り部とを備え、前記生体データと前記ＩＣタグの温度情報に基づき前記被検者の状態を監視することを特徴とする監視装置。
【請求項２】
被検者のベッドに設置したエアマットと、前記エアマットの内部圧力変化を検出する圧力検出手段と、前記圧力検出手段で検出した前記エアマットの内部圧力変化を基づき被検者の生体データを測定する手段と、前記被検者に装着された温度測定部を有するＩＣタグと、前記ＩＣタグの情報を読取る読取り部とを備え、前記生体データと前記ＩＣタグの温度情報に基づき前記被検者の状態を監視することを特徴とする監視装置。
【請求項３】
被検者のベッドに設置したエアマットと、前記エアマットの内部圧力変化を検出する圧力検出手段と、前記圧力検出手段で検出した前記エアマットの内部圧力変化を基づき被検者の生体データを測定する測定手段と、前記被検者に装着された温度測定部を有するＩＣタグと、前記ＩＣタグの情報を読取る読取り部とを備え、所定時間の前記生体データ及び前記ＩＣタグの温度情報と予め得られている平常時の生体データと比較して前記被検者の状態を監視することを特徴とする監視装置。
【請求項４】
被検者のベッドに設置したエアマットと、前記エアマットの内部圧力変化を検出する圧力検出手段と、前記圧力検出手段で検出した前記エアマットの内部圧力変化を基づき被検者の生体データを測定する測定手段と、前記被検者に装着された温度測定部を有するＩＣタグと、前記ＩＣタグの情報を読取る読取り部とを備え、所定時間の前記生体データ及び前記ＩＣタグの温度情報と予め得られている平常時の生体データと比較して前記被検者の状態を監視する監視装置と、所定時間の前記生体データと予め得られている平常時の生体データと比較して前記被検者の就寝状態を監視する端末装置と、前記端末装置と伝送可能に管理サイト及び／または医療サイトに設置された管理用制御装置とを具備することを特徴とする監視システム。
【請求項５】
被検者のベッドに設置されたエアマットの内部圧力変化を圧力検出手段で検出する圧力検出工程のプログラムと、前記圧力検出手段で検出した前記エアマットの内部圧力変化を基づき被検者の生体データを測定手段により測定する工程のプログラムと、前記被検者に装着された温度測定部を有するＩＣタグの温度情報を読取る工程のプログラムと、所定時間の前記生体データ及び前記ＩＣタグの温度情報と予め得られている平常時の生体データと比較して前記被検者の状態を監視し、所定時間の前記生体データと予め得られている平常時の生体データと比較する工程のプログラムを記憶したコンピュータで読取り可能な記憶媒体。
【請求項６】
請求項１〜５のいずれかに記載の温度測定部を有するＩＣタグを備えたオムツ。
【発明の詳細な説明】
【技術分野】
【０００１】
本発明は、高齢者、加療中の患者、乳幼児などの被検者の就寝または横臥・仰臥等における心拍数、呼吸数、体動の大きさ、体温等の生体データを測定して被検者の状態を監視する監視装置及び監視システム、それに使用するオムツに関する。
【背景技術】
【０００２】
近年、高齢者の人口が増大する傾向にあり、いわゆる高齢化社会に変わりつつある。このため、高齢者に対しての介護負担が増大し、特に在宅介護の場合には常に気を配る必要があり、家族が夜間介護する場合の労力は計り知れないものがある。その結果、介護する人に過大な負担を強いることとなり、大きな社会問題となっている。
【０００３】
また、病院、介護施設等においては、就寝や横臥・仰臥中に看護婦、看護士が常時、患者または被介護者（被検者）に付き添う訳にもいかず、定期的な回診、または異常時の通報で患者の健康状態を把握することで対処しているのが現状である。
【０００４】
近年、介護施設などで高齢者がインフルエンザ等の急激な発熱などがあってもその情報が遅れて重篤となる場合がある。また、自宅などで乳幼児がインフルエンザ等の急激な発熱などがあってもその情報が遅れて重篤となる場合がある。
【０００５】
こうした状況下、被介護者に身体的及び精神的負担を与えずに、被介護者の健康状態を無侵襲、すなわち無拘束でかつ継続的に把握する方法として、被介護者（被検者）の身体の下にエアマットを敷いて、そのエアマットに加わる圧力変化に基づき被検者の心拍数、呼吸数、イビキ回数、寝返り回数等を測定する技術が提案されている（特許文献１）。また、在宅で居ながらにして血圧、脈拍、体温等の情報を日毎にチェックし、トレンド表示するホームドックシステムも提案されている（特許文献２）。
【０００６】
しかしながら、血圧、脈拍、体温等のデータを測定の都度いちいち手動で入力し、送信する必要がある。また、首輪に埋め込まれた非接触型のＩＣタグにより、ＩＤコードと照合し、飼い主情報、連絡先情報を速やかに取得できる管理システムが提案されている（特許文献３）。また、温度センサと一体化されたＩＣタグにより、軸受の異常検査システムが提案されている（特許文献４）。しかしながら、被検者（高齢者、加療中の患者、乳幼児）や被介護者に身体的及び精神的負担を与えずに、生体の体温データを監視するシステムは未だ提案されていない。
【特許文献１】特開２００２−５２０１０号公報
【特許文献２】特開２００３−５６２４７号公報
【特許文献３】特開２００４−３５７５８９号公報
【特許文献４】特開２００５−３２２５６号公報
【０００７】
しかしながら、罹病している患者、特に高齢者や乳幼児にあっては特に夜間にインフルエンザ等の感染症による急な発熱があっても気づくのが遅れ、手遅れになる場合がある。
【発明の開示】
【発明が解決しようとする課題】
【０００８】
本発明の目的は、特に就寝または安静中（横臥・仰臥中等）の被検者の生体データを利用した身体状態把握の信頼性を高めて、夜間でも被検者や被介護者の正確な状態把握が行える状態監視装置及び監視システムを提供することにある。
【課題を解決するための手段】
【０００９】
上記課題を解決するために、本発明の監視装置は、被検者のベッドに設置したエアマットと、エアマットに設けられた生体情報検出手段と、被検者に装着された温度測定部を有するＩＣタグと、ＩＣタグの情報を読取る読取り部とを備え、生体データとＩＣタグの温度情報に基づき前記被検者の状態を監視することを特徴とする。また、本発明の監視装置は、被検者のベッドに設置したエアマットと、エアマットの内部圧力変化を検出する圧力検出手段と、圧力検出手段で検出したエアマットの内部圧力変化を基づき被検者の生体データを測定する手段と、被検者に装着された温度測定部を有するＩＣタグと、ＩＣタグの情報を読取る読取り部とを備え、生体データとＩＣタグの温度情報に基づき被検者の状態を監視することを特徴とする。また、被検者のベッドに設置したエアマットと、エアマットの内部圧力変化を検出する圧力検出手段と、圧力検出手段で検出したエアマットの内部圧力変化を基づき被検者の生体データを測定する測定手段と、被検者に装着された温度測定部を有するＩＣタグと、ＩＣタグの情報を読取る読取り部とを備え、所定時間の生体データ及びＩＣタグの温度情報と予め得られている平常時の生体データと比較して被検者の状態を監視することを特徴とする。また、本発明の監視システムは、被検者のベッドに設置したエアマットと、エアマットの内部圧力変化を検出する圧力検出手段と、圧力検出手段で検出したエアマットの内部圧力変化を基づき被検者の生体データを測定する測定手段と、被検者に装着された温度測定部を有するＩＣタグと、ＩＣタグの情報を読取る読取り部とを備え、所定時間の生体データ及びＩＣタグの温度情報と予め得られている平常時の生体データと比較して被検者の状態を監視する監視装置と、所定時間の生体データと予め得られている平常時の生体データと比較して被検者の就寝状態を監視する端末装置と、端末装置と伝送可能に管理サイト及び／または医療サイトに設置された管理用制御装置とを具備することを特徴とする。また、本発明におけるコンピュータで読取り可能な記憶媒体は、被検者のベッドに設置されたエアマットの内部圧力変化を圧力検出手段で検出する圧力検出工程のプログラムと、圧力検出手段で検出したエアマットの内部圧力変化を基づき被検者の生体データを測定手段により測定する工程のプログラムと、被検者に装着された温度測定部を有するＩＣタグの温度情報を読取る工程のプログラムと、所定時間の生体データ及び前記ＩＣタグの温度情報と予め得られている平常時の生体データと比較して被検者の状態を監視し、所定時間の生体データと予め得られている平常時の生体データと比較する工程のプログラムを記憶したものである。また、上記に使用する温度測定部を有するＩＣタグを備えたオムツである。
【発明の効果】
【００１０】
本発明では、就寝または安静中（横臥・仰臥中等）の被検者の生体データを利用した身体状態把握の信頼性を高めて、夜間でも被検者、被介護者、介護者に負担感なく正確な体温情報を含む生体状態の把握が行える。
【発明を実施するための最良の形態】
【００１１】
図１は、本発明の一実施例を示し、介護施設内，自宅等に設置したエアマットと被検者及び監視装置の概略を示している。図２は監視装置を形成する端末装置５のブロック図、図３は、温度測定部を有するＩＣタグ（ＲＦＩＤ）のブロック図である。図４は、被検者が装着するオムツ（ｂ）とその装着状態を示す外観図（ｂ）である。なお、本発明は、実施例に限定されるものではなく、適宜変更可能であることはいうまでもない。
【００１２】
図１において、１は病院、介護施設，自宅等の部屋を示し、生体データ測定用専用エアマット２をベッド３の上に設置し、エアチューブ４を経てパソコンなどの機能を有する端末装置５とデータ測定用専用エアマット２とを接続し、データ測定用専用エアマット２の圧力変化を端末装置５に伝達できるようにしている。
【００１３】
＜監視システムの具体的構成＞
被検者（老人，乳幼児等）Ｐは、通常の状態（横臥，仰臥）で生体データ測定用専用エアマット２の上でオムツ（パンツ）２００（図４（ａ），図４（ｂ）参照）をはいて就寝する。オムツ２００は、伸縮部材を備えた胴開口部２０１、伸縮部材を備えた脚開口部２０２、尿等を吸収する吸収部材（不図示）からなり、温度測定部を有するＩＣタグ１００をその内側に備える。オムツ２００は、パンツ状に限らず、他の形状でもよい。また、温度測定部を有するＩＣタグ１００は、面ファスナー等を備える囲包部材で囲包し、着脱自在にしてもよい。端末装置５には、圧力変化を検出する圧力センサと、その検出信号を処理して管理サイト／医療サイト７へＬＡＮ等専用回線またはインターネット等の情報通信ネットワーク８を介して伝送する制御監視装置、ＩＣタグ読み取り部３４が設けられている。端末装置５と管理サイト／医療サイト７の管理用コンピュータ（制御装置）１１とは、情報通信ネットワーク８で、相互に情報が伝送できるようになっている。管理用コンピュータ（制御装置）１１は、記憶部，表示部，入力部，外部通信部等を備えている。なお、温度測定部を有するＩＣタグ１００は、耳内挿入式にしたり、体表面の任意箇所に貼付可能にして複数の箇所の体温情報を取得するようにしてもよい。なお、この場合には、同時に体温情報の読取り可能になる、アンチコリージョン型のＩＣタグを用いる。
【００１４】
管理サイト／医療サイト７にはサーバー（データ処理装置）９を設置し、被検者ＰのＩＤと関連付けして、脈拍，呼吸，血圧，体温，血中酸素飽和度，血糖等の生体情報の測定データの収集、集計、データ分析等を行うようにしてもよい。また、担当医１０の机上には管理パソコン１１を設置し、担当医１０が随時、被検者Ｐの身体状態を把握、監視するとともに、緊急時の被検者異常通報を受けたり、電話器により適宜看護婦の待機部屋に指示を出したり、ハンディ・ナースコールで連絡したりすることができるようにしてもよい。
【００１５】
図２において、４０は、ＲＯＭ４２，ＲＡＭ４３などに記憶されたコンピュータ読み取り可能なプログラム、所定の条件などに基づいて所定の処理フローを実行する制御部（ＣＰＵ）である。３６は表示部、４４は、検出された体温，心拍，呼吸などの生体情報を記憶する記憶部である。２０は、微差圧センサ、２１は、絶対圧力センサで、エアマット２の内部圧力をエアチューブ４を介して微差圧センサ２０と絶対圧力センサ２１に入力される。被検者Ｐの身体に起因する振動がエアマット２に伝達されるので、エアマット２の内部圧力が変化する。微差圧センサ２０は圧力変動分を検出し、また、絶対圧力センサ２１はエアマット２の内部圧力の絶対圧力を検出する。絶対圧力センサ２１は被検者Ｐがエアマット２上にいるかを検出するために設けられている。
【００１６】
微差圧センサ２０としては、例えば、圧力の変化を受ける受圧面と対抗電極との間の静電容量変化を検知して差圧を検出するコンデンサマイクロフォン型差圧計が用いられる。コンデンサマイクロフォン型差圧計はエアマット２内部の微小な圧力変動を検出できる。
【００１７】
微差圧センサ２０の検出信号は監視制御装置３０を構成するゲイン制御部３１に与えられる。ゲイン制御部３１は微差圧センサ２０の検出信号のレベルを所定範囲の信号レベルに調整する。被検者Ｐの姿勢によってエアマット２に伝わる心拍や呼吸などの振動の強さが異なるために、微差圧センサ２０の出力信号の強度（レベル）が異なる。ゲイン制御部３１は姿勢によって異なる信号レベルを所定レベルの信号になるようにゲインを調整し、心拍フィルタ３２、呼吸フィルタ３３に出力する。また、ゲイン制御部３１のゲイン値が姿勢判別部３６に加えられる。ゲイン制御部３１によって所定レベルに変換された微差圧センサ２０の出力信号を心拍フィルタ３２、呼吸フィルタ３３に加えることにより、これら心拍フィルタ３２、呼吸フィルタ３３から心拍信号、呼吸信号などの被検者Ｐの生体データが得られる。心拍フィルタ３２、呼吸フィルタ３３から得られた被検者              Ｐの生体データはＡ／Ｄ変換部３５でデジィタル信号に変換されデータ処理部３７に入力される。また、被検者Ｐに装着されたオムツ２００の内側に装着された温度センサ付きＩＣタグ１００（図４（ａ）参照）から、温度情報をＩＣタグ読取り部３４で間歇的（例えば１０〜３０分ごと）に読み取る。ＩＣタグ読取り部３４から１３．５６ＭＨｚの電磁波を送信し、その信号をアンテナを介して温度センサ付きＩＣタグ１００が受け、温度センサ１０６による温度(体温)情報(本実施例では、被検者Ｐの腹部付近の体温情報)を温度センサ付きＩＣタグ１００から読取る。データ処理部３７は入力した生体データの各種の演算処理を行い、被験者Ｐの状態を監視する。生体データの各種の演算処理には、被検者Ｐの平常時の生体データとのパターン比較などが含まれる。データ処理部３７は絶対圧力センサ２１がエアマット２上に被験者Ｐがいることを検出しているときに演算処理を実行する。
【００１８】
また、ゲイン制御部３１のゲイン値が姿勢判別部３６に加えられる。エアマット２の内部圧力を検出する微差圧センサ２０の検出信号のレベルは被検者Ｐの横臥している姿勢によって異なるためゲイン制御部３１でゲイン調整する。
【００１９】
＜ＩＣタグの構成＞
図３において、１０１は、ＩＣタグ読み取り部３４からの信号を受け、ロジック部１１０を所定のフローで動作させるプログラムが記憶され、コンピュータで読取り可能な記憶媒体であるＲＡＭである。１０２はＥＥＰＲＯＭで、温度センサ１０６のそれぞれに対応するオフセット値，温度補正値などが記憶されている。また、体温情報も記憶可能である。なお、ロジック部１１０は、より複雑な処理フローの制御が可能なＣＰＵとしてもよい。
【００２０】
温度センサ１０６としては、温度変化に対してほぼリニアにアナログ出力し、小型化・ＩＣタグとの一体化が可能で、３５〜４２℃の間で温度分解能が０．０５℃である、半導体型の温度センサ、例えばＣ−ＭＯＳ温度センサが好ましく用いられるが、サーミスタ型、サーモパイル（熱電対）型でも可能である。１０３は、被検者Ｐに設けられた温度測定部を有するＩＣタグ（ＲＦＩＤ）１００の体温情報を取得するための送受信回路、１０３ａはアンテナ、１０４は電源部である。この電源部１０４は、コイルを有するアンテナ部１０３ａを介して、体温情報を読取られる時に温度測定部を有するＩＣタグ１００の各部に電源を供給する。１０７はＡ／Ｄ変換部であり、温度センサ１０６と発振回路（不図示）で発生した体温信号をＡ／Ｄ変換するものである。ＩＣタグ１００は、アンテナ１０３ａを含めて５ｍｍ×５ｍｍ、厚さ１．５ｍｍ程度の大きさである。なお、ＩＣタグ１００は、生体を通過可能な周波数の電磁波での通信（送受信）可能なものであれば、どのような周波数でもよいが、好ましくは１３．５６ＭＨｚの電磁波で送信可能になっている。
【００２１】
体温情報もＥＥＰＲＯＭ１０２に記憶できるので、別のマットに被検者Ｐを移し換えても継続して体温情報を記憶できる。また、間違った被検者Ｐの情報を取得しないようにしたり、アンテナ１０３ａから出力される信号を暗号化処理可能にしてセキュリティ機能を持たせることができる。
【００２２】
データ処理部３７において、演算された心拍数、呼吸数、体動の大きさ、体温等を演算処理した結果は記憶部４４に被検者ＰのＩＤと対応して記憶部４４に記憶されるとともに表示装置３６に表示される。同時に管理サイト／医療サイト７に伝送可能となっている。このようにして被検者Ｐの状態の監視が行われる。
【００２３】
生体データは、差圧センサ（相対圧センサ）２０と絶対圧力センサ２１で捉えた信号の特徴により、心拍数、呼吸数等を識別化する。例えば、心拍数と呼吸数は、フィルタ３２、３３を通して正常範囲の周波数に分離する。Ａ／Ｄ変換部３５によりディジタル信号に変換後にデータ処理部３７において高速フーリエ変換を施してピークスペクトルとなる基本周波数を求め、それぞれを抽出する。
【００２４】
＜生体情報取得の処理フロー＞
エアマット２上に被検者Ｐがいる（横臥，仰臥状態）ことまたは入力部４５等における測定開始操作等の入力指示を条件に測定を開始する。１０〜６０分毎に、差圧センサ（相対圧センサ）２０と絶対圧力センサ２１で圧力信号を取得（検出）する(ステップＳ１)。取得した圧力信号の特徴により、心拍数、呼吸数等を識別化し、心拍数、呼吸数等を演算する（ステップＳ２）。１回の圧検出時間は、２〜５分程度である。また、体温情報は、１０〜６０分毎に、ＩＣタグ１００にＩＣタグ読取り部３４から１３．５６ＭＨｚの電磁波を送信（送受信距離は、１０ｃｍ〜１ｍ程度）し、その信号と同期して得られる温度センサ１０６の体温情報を読取る（ステップＳ３）。これらの生体情報は、記憶部４４に記憶される(ステップＳ４)。この生体情報は閾値と比較される(ステップＳ５)。例えば、体温の場合、上限値が３７．０℃、下限値が３５．５℃としている。また、心拍は、例えば、上限値が１２０拍／分、下限値が３０拍／分、呼吸数は、例えば、上限値が９０／分、下限値が１０／分としている。これらの生体情報のうち少なくとも１つの情報が異常と判断されると、アラームを発生させ（ステップＳ６）、管理サイト／医療サイト７の担当医１０に報知するようにしている。なお、担当医１０の携帯電話などに報知するようにしてもよい。異常と判断された被検者Ｐの容体を確認後、リセット（ステップＳ７）する。異常がない場合は、ステップＳ１に戻り、  測定終了の指示入力があるまで生体情報の  測定を繰り返す。測定され、記憶部４４に記憶される生体情報は、平均値、最大値、最小値、最多値を求めて、被検者ＰのＩＤとともにそれらのデータも記憶部４４、サーバー９に記憶する。記憶部４４に記憶された、心拍数、呼吸数、体温等の生体情報は、図６に示すように表示部３６にトレンド表示される。表示部３６では、心拍数、呼吸数、体温を同時に１時間（６０分）毎にトレンド表示しているが、このうち１つまたは任意の組合せで表示可能にしてもよい。また、解熱剤などの投薬データをメモ情報として、日時とともに入力部４５で入力しておくことで、表示部３６の生体情報のトレンド表示と併せて表示可能となる。管理サイト／医療サイト７の表示部（不図示）でも同様の表示ができるようになっている。
【００２５】
なお、ステップＳ５において、閾値との比較判断する前に、心拍数、呼吸数、体温等の生体情報の変化率が所定値より大きい場合、例えば体温において、０．５℃／時間の場合、測定間隔を初期設定値より短くして測定するようにすることで、被検者Ｐに対して、より詳細な監視が可能となる。
【００２６】
なお、圧力検出に基づく解析時間（所定時間）は２〜５分間でなく、任意の時間に設定できる。解析時間は１就寝分のデータ解析に都合のよい時間でよく、また、１就寝分でなく、所定の就寝時間内を設定することもできる。システムの規模、解析速度等により最適な条件とする。
【００２７】
データ処理部３７は、例えば、被検者Ｐの健康状態を次のような判断基準に基づき判定する。
【００２８】
次に就寝中の異常監視と緊急通報について説明する。端末装置５のデータ処理部３７は、所定時間（２〜５分間）分の生体データを解析して心拍数、呼吸数等を算出し、また、ＩＣタグからの温度情報から、これらが異常といえる既定値の範囲を越えた場合に体温値異常、心拍数異常、呼吸数異常として表示装置３８へ表示するとともに、緊急通報として管理パソコン１１に通報する。このとき被検者Ｐの状態を撮像手段で撮像し、生体情報の異常情報とともに送信できるようにすれば、管理サイト／医療サイト７の医師１０の判断が容易になる。データ処理部３７は心拍数異常、呼吸数異常として表示装置３８へ表示すると共にブザーを鳴動させるようにする。データ処理部３７は、体動に関しては一定時間以上続くと発作と認識して同様に表示とブザー応答を行い、情報通信ネットワーク８を介して管理サイト／医療サイト７の管理パソコン１１へ通報する。これを受けて管理サイト／医療サイト７の医師などの医療従事者が対処方法を情報通信ネットワーク８や電話、ＦＡＸなどでフィードバックする。
【図面の簡単な説明】
【００２９】
【図１】本発明の一実施例を示す図である。
【図２】本発明の実施例に係るブロック図である。
【図３】本発明の実施例に係る温度測定部を有するＩＣタグのブロック図である。
【図４】本発明の実施例に係る温度測定部を有するＩＣタグが装着されたオムツが被検者に装着された図とＩＣタグが装着されたオムツを示す図である。
【図５】本発明の実施例に係る生体情報の取得処理フローを示す図である。
【図６】本発明の実施例に係る表示例を示す図である。
【符号の説明】
【００３０】
１・・・病院、介護施設等の部屋、２・・・エアマット、３・・・ベッド、４・・・エアチューブ、５・・・端末装置、Ｐ・・・被験者、７・・・管理サイト、８・・・情報通信ネットワーク、９データサーバー、１０・・・担当医、１００・・・ＩＣタグ、１０１・・・ＲＡＭ、１０２・・・ＥＥＰＲＯＭ、１０３・・・送信受信回路、１０３ａ・・・アンテナ、１０６・・・サーミスタ  ２００・・・オムツ
【図１】
2007135862.tif 000003
【図２】
2007135862.tif 000004
【図３】
2007135862.tif 000005
【図４】
2007135862.tif 000006
【図５】
2007135862.tif 000007
【図６】
2007135862.tif 000008
【手続補正書】
【提出日】平成17年11月30日(2005.11.30)
【手続補正１】
【補正対象書類名】明細書
【補正対象項目名】００２８
【補正方法】変更
【補正の内容】
【００２８】
次に就寝中の異常監視と緊急通報について説明する。端末装置５のデータ処理部３７は、所定時間（２〜５分間）分の生体データを解析して心拍数、呼吸数等を算出し、また、ＩＣタグからの温度情報から、これらが異常といえる既定値の範囲を越えた場合に体温値異常、心拍数異常、呼吸数異常として表示装置３８へ表示するとともに、緊急通報として管理パソコン１１に通報する。このとき被検者Ｐの状態を撮像手段で撮像し、生体情報の異常情報とともに送信できるようにすれば、管理サイト／医療サイト７の医師１０の判断が容易になる。データ処理部３７は心拍数異常、呼吸数異常として表示装置３８へ表示すると共にブザーを鳴動させるようにする。データ処理部３７は、体動に関しては一定時間以上続くと発作と認識して同様に表示とブザー応答を行い、情報通信ネットワーク８を介して管理サイト／医療サイト７の管理パソコン１１へ通報する。これを受けて管理サイト／医療サイト７の医師などの医療従事者が対処方法を情報通信ネットワーク８や電話、ＦＡＸなどでフィードバックする。なお、ＩＣタグ読取り部３４をマット２の適所に設け、信号線（好ましくはエアチューブ４と一体化）を介してＩＣタグ１００で得た体温情報を得るようにしてもよい。
【手続補正書】
【提出日】平成18年4月7日(2006.4.7)
【手続補正１】
【補正対象書類名】明細書
【補正対象項目名】００２４
【補正方法】変更
【補正の内容】
【００２４】
＜生体情報取得の処理フロー＞
エアマット２上に被検者Ｐがいる（横臥，仰臥状態）ことまたは入力部４５等における測定開始操作等の入力指示を条件に測定を開始する。１０〜６０分毎に、差圧センサ（相対圧センサ）２０と絶対圧力センサ２１で圧力信号を取得（検出）する(ステップＳ１)。取得した圧力信号の特徴により、心拍数、呼吸数等を識別化し、心拍数、呼吸数等を演算する（ステップＳ２）。１回の圧検出時間は、２〜５分程度である。また、体温情報は、１０〜６０分毎に、ＩＣタグ１００にＩＣタグ読取り部３４から１３．５６ＭＨｚまたは、８６０〜９６０ＭＨｚ（ＵＨＦ帯）の電磁波を送信（送受信距離は、１０ｃｍ〜１ｍ程度）し、その信号と同期して得られる温度センサ１０６の体温情報を読取る（ステップＳ３）。これらの生体情報は、記憶部４４に記憶される(ステップＳ４)。この生体情報は閾値と比較される(ステップＳ５)。例えば、体温の場合、上限値が３７．０℃、下限値が３５．５℃としている。また、心拍は、例えば、上限値が１２０拍／分、下限値が３０拍／分、呼吸数は、例えば、上限値が９０／分、下限値が１０／分としている。これらの生体情報のうち少なくとも１つの情報が異常と判断されると、アラームを発生させ（ステップＳ６）、管理サイト／医療サイト７の担当医１０に報知するようにしている。なお、担当医１０の携帯電話などに報知するようにしてもよい。異常と判断された被検者Ｐの容体を確認後、リセット（ステップＳ７）する。異常がない場合は、ステップＳ１に戻り、測定終了の指示入力があるまで生体情報の  測定を繰り返す。測定され、記憶部４４に記憶される生体情報は、平均値、最大値、最小値、最多値を求めて、被検者ＰのＩＤとともにそれらのデータも記憶部４４、サーバー９に記憶する。記憶部４４に記憶された、心拍数、呼吸数、体温等の生体情報は、図６に示すように表示部３６にトレンド表示される。表示部３６では、心拍数、呼吸数、体温を同時に１時間（６０分）毎にトレンド表示しているが、このうち１つまたは任意の組合せで表示可能にしてもよい。また、解熱剤などの投薬データをメモ情報として、日時とともに入力部４５で入力しておくことで、表示部３６の生体情報のトレンド表示と併せて表示可能となる。管理サイト／医療サイト７の表示部（不図示）でも同様の表示ができるようになっている。